(57)【要約】      （修正有）【課題】設置や取り外しに要する時間が短く、後片付けを簡単にでき、設置に自由度があり作業効率の良好なケーブル延線用ローラ装置を提供する。【解決手段】ケーブル延線用ローラ装置１０は、弧状に湾曲する部分を有し、その両端同士が直線状に略平行で、一端が他端よりも長く延在する軸１と、軸１の周囲を回動自在になるように外挿された複数のローラ２ａからなるローラ部２と、軸１の一端の延在する部位に設けられ、外部部材に取り付けて固定するための取付部３と、を備える。ローラ部２は、Ｕ字形状を有し、その内側をケーブルの案内面として構成する。【選択図】図１
2019103152.tif 000002
【特許請求の範囲】
【請求項１】
弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられ、外部部材に取り付けて固定するための取付部と、を備えるケーブル延線用ローラ装置であって、
前記ローラ部は、Ｕ字形状を有し、その内側をケーブルの案内面として構成することを特徴とするケーブル延線用ローラ装置。
【請求項２】
前記ローラ部のＵ字形状は、弧状部分の半径と各両端の直線状部分の長さとの比が、１：２〜２：１の範囲内にある、請求項１記載のケーブル延線用ローラ装置。
【請求項３】
前記軸が電気亜鉛めっきを施された鉄からなり、前記ローラが樹脂製である、請求項１又は２記載のケーブル延線用ローラ装置。
【請求項４】
弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられる取付部と、
前記取付部と接合して取付けられ、前記ローラ部を所望する高さに調整可能で、且つ、外部部材に固定可能な固定部材と、を備えるケーブル延線用ローラ装置であって、
前記ローラ部は、Ｕ字形状を有し、その内側をケーブルの案内面として構成することを特徴とするケーブル延線用ローラ装置。
【請求項５】
前記固定部材は、前記ローラ部の下方において、前記外部部材を挟み込んで固定するための挟み込み部を備える、請求項４記載のケーブル延線用ローラ装置。
【発明の詳細な説明】
【技術分野】
【０００１】
本発明は、設置や取り外しに要する時間が短く、作業効率の良好なケーブル延線用ローラ装置、さらに詳細には、設置に自由度があり、敷設後にケーブルを持ち上げて降ろすだけで後片付けも簡単にできる、特定のＵ字形状を有するケーブル延線用ローラ装置に関する。
【背景技術】
【０００２】
従来から、電線やケーブルの延線作業を省力化するために、種々のケーブル延線用ローラ装置やケーブルコロ等が開発され、利用されている。
【０００３】
これまでに、例えば、実開平６−２９１４号公報には、Ｕ字状の主体杆に複数のローラを使用したケーブルローラ支持具が開示されている（特許文献１）。
【０００４】
しかし、上記の支持具は、ケーブルローラを構成する主体杆の両側に二本の脚杆部を備えている。そのため、その構造上、ケーブルローラの外側にしか降ろせない、又はケーブルローラの一部を外さないとローラ直下にケーブルを降ろすことができない。また、上記の支持具におけるケーブルローラは、とう道でのケーブル延線に使用されるもので、一般屋内設備および屋外のケーブルラック・二重床には使用できず、用途が限定されるという問題がある。とう道でのケーブル敷設工事より屋内外のケーブル敷設工事のほうが、圧倒的に需要があるというのが現状である。
【０００５】
屋内ケーブル敷設工事は一般住宅設備においては天井裏・壁裏などが多いが、電気通信設備工事をはじめ、マンション（共用部）・商業ビル・企業ビル・工場・大型ショッピングモールなどではごく一般的にケーブルラックでの敷設工事が多くある。また、サーバールームなどの電源としてＯＡフロア（二重床）下のケーブル敷設も多々ある。
【０００６】
また、ケーブルコロでも上記の支持具と同様の問題がある。ケーブルコロを、例えば、ケーブルラック上に設置しようとする場合、特別な工夫をしない限り困難である。仮に、ケーブルコロを紐等でケーブルラックに固定したとしても、コロの外側にしか降ろすことができず、コロの直下には降ろすことができない。また、ケーブルラック上に既設のケーブルが多数ある場合には、ケーブルコロの設置が困難である。
【０００７】
また従来から利用されているローラ装置として設置の自由度を備えるものに、三面ローラがある。ケーブルラックおよび二重床において、一般にローラ装置はケーブルラックの親桁または二重床の足（架台）に固定するのに対して、三面ローラはケーブルラックや二重床内の所望の位置（例えば真ん中等）に設置できる。しかし、三面ローラは基本的には三方向に紐を張り縛らなければならないため、設置、取り外しに相当の時間を要する。また、三面ローラは、ケーブルを外した後、ラック等に縛っていた紐を片付けしやすいようにローラ本体に巻き付けなければならない。特に、二重床でのケーブル延線ルートは床幅が狭く（１２００又は９００ｍｍがメイン）、上部に紐を吊る場所がない。このため、三面ローラを強固に二重床内に設置しようとするならば、二重床の足がある片側に寄せる形となる。それでも三面ローラは基本的に三方向に支持が必要なため、設置にはかなりの工夫が必要となる。
【０００８】
三面・四面ローラなどはケーブルの周囲を完全に閉鎖してしまうタイプのものであるが、これらは敷設終了後いざケーブルを降ろす際、ローラについている開閉レバーを操作しなければならない。開閉作業がある場合、次のケーブルを敷設する際、開けたローラをもう一度閉めておかなければならない。閉め忘れが生じた場合、次のケーブルが来た時点でストップがかかり、作業に遅延が生じることとなる。また、作業環境によっては、やってきたケーブルをうまくローラに乗せられない場合も多々ある。この場合、三面ローラ等は片手でローラ内にケーブルを持ち上げつつ、一方の手でローラ（開閉レバー）の閉じ作業を行わなければならない。延線対象のケーブルは太くて重量のあるものもあり、作業態勢によってはこの一連の作業に手間取ることもある。
【０００９】
特開平６−３５１１２１号公報には、三面ローラを用いた電線延線ローラ装置が開示されているが（特許文献２）、設置、取り外しが容易でなく、作業効率に問題がある。
【００１０】
このため、設置や取り外しに要する時間が短く、後片付けを簡単にできるような、既存の装置よりもシンプルな構造でより作業効率の良いケーブル延線用ローラ装置が望まれていた。特に、ケーブルラックや二重床において、敷設後、降ろしたケーブルをローラの下に収めることが可能で、既設ケーブルがあるケーブルラックの親桁又は二重床の架台に容易に設置することのできるケーブル延線用ローラ装置が要望されていた。
【先行技術文献】
【特許文献】
【００１１】
【特許文献１】実開平６−２９１４号公報
【特許文献２】特開平６−３５１１２１号公報
【発明の概要】
【発明が解決しようとする課題】
【００１２】
本発明の目的は、設置や取り外しに要する時間が短く、敷設後にケーブルを持ち上げて降ろすだけで後片付けを簡単にでき、設置に自由度があり作業効率の良好なケーブル延線用ローラ装置を提供することにある。
【００１３】
また、本発明の他の目的は、特にケーブルラックや二重床において、敷設後、降ろしたケーブルをローラの下に収めることが可能で、既設ケーブルがあるケーブルラックの親桁又は二重床の架台に容易に設置することのできるケーブル延線用ローラ装置を提供することにある。
【課題を解決するための手段】
【００１４】
本発明者は、鋭意研究した結果、ケーブルの案内面として構成する面を備えた特定の形状を有するケーブル延線用ローラ装置が、前記目的を達成し得ることの知見を得た。
【００１５】
本発明は、前記知見に基づきなされたもので、下記の発明を提供するものである。
１．弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられ、外部部材に取り付けて固定するための取付部と、を備えるケーブル延線用ローラ装置であって、
前記ローラ部は、Ｕ字形状を有し、その内側をケーブルの案内面として構成することを特徴とするケーブル延線用ローラ装置。
【００１６】
２．前記ローラ部のＵ字形状は、弧状部分の半径と各両端の直線状部分の長さとの比が、１：２〜２：１の範囲内にある、前記１記載のケーブル延線用ローラ装置。
【００１７】
３．前記軸が電気亜鉛めっきを施された鉄からなり、前記ローラが樹脂製である、前記１又は２記載のケーブル延線用ローラ装置。
【００１８】
４．弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられる取付部と、
前記取付部と接合して取付けられ、前記ローラ部を所望する高さに調整可能で、且つ、外部部材に固定可能な固定部材と、を備えるケーブル延線用ローラ装置であって、
前記ローラ部は、Ｕ字形状を有し、その内側をケーブルの案内面として構成することを特徴とするケーブル延線用ローラ装置。
【００１９】
５．前記固定部材は、前記ローラ部の下方において、前記外部部材を挟み込んで固定するための挟み込み部を備える、前記４記載のケーブル延線用ローラ装置。
【発明の効果】
【００２０】
本発明によれば、設置や取り外しに要する時間が短く、敷設後にケーブルを持ち上げて降ろすだけで後片付けを簡単にでき、設置に自由度があり作業効率の良好なケーブル延線用ローラ装置を提供することができる。
【００２１】
また、本発明によれば、特にケーブルラックや二重床において、敷設後、降ろしたケーブルをローラの下に収めることが可能で、既設ケーブルがあるケーブルラックの親桁又は二重床の架台に容易に設置することのできるケーブル延線用ローラ装置を提供できる。
【図面の簡単な説明】
【００２２】
【図１】本発明の第１の実施形態に係るケーブル延線用ローラ装置の全体構造を示す概略正面図である。
【図２】第１の実施形態に係るケーブル延線用ローラ装置を構成する軸を示す概略正面図である。
【図３】（ａ）および（ｂ）は、それぞれ第１の実施形態に係るケーブル延線用ローラ装置に用いられるローラの概略正面図および概略側面図である。
【図４】（ａ）および（ｂ）は、それぞれ第１の実施形態に係るケーブル延線用ローラ装置に用いられる取付部の概略正面図および概略底面図である。
【図５】第１の実施形態に係るケーブル延線用ローラの機能を説明するために複数のローラを省略して底面視で示す概略説明図である。
【図６】本発明の第２の実施形態に係るケーブル延線用ローラ装置の全体構造を示す概略正面図である。
【図７】（ａ）〜（ｄ）は、第２の実施形態に係るケーブル延線用ローラ装置に用いられる取付金物における各種の親桁挟み込み部を示す概略説明図である。
【図８】（ａ）〜（ｄ）は、第２の実施形態に係るケーブル延線用ローラ装置に用いられる取付金物における親桁挟み込み部に使用される部材を分解して示す各部材の概略説明図である。
【発明を実施するための形態】
【００２３】
以下、本発明について、その好ましい実施形態に基づき、図面を用いて詳細に説明する。
【００２４】
本発明の一実施形態は、下記の構成からなるケーブル延線用ローラ装置１０である。
すなわち、図１に示すように、弧状に湾曲する部分（半円部分）を有し、その両端同士が直線状に略平行で、一端が他端よりも長く延在する軸１と、
軸１の周囲を回動自在になるように外挿された複数のローラ２ａ，２ａ，…からなるローラ部２と、
軸１の一端の延在する部位に設けられ、外部部材（取付対象物）としての二重床の架台等に取り付けて固定するための取付ボルト３と、を備え、
ローラ部２は、Ｕ字形状を有し、その内側をケーブルの案内面として構成する、ケーブル延線用ローラ装置１０である。以下、本実施形態を第１の実施形態という。
【００２５】
第１の実施形態に係るケーブル延線用ローラ装置１０は、かかる構造を備えるため、その二重床の架台への設置や取り外しに要する時間が短くて済み、敷設後にケーブルを持ち上げて降ろすだけで後片付けも簡単にできる。また、設置に自由度があり、作業効率が良好なものである。
【００２６】
第１の実施形態に係るケーブル延線用ローラ装置１０は、主として機械室等の二重床におけるケーブルの延線に使用するものである。ローラ装置１０を用いることにより、敷設後、降ろしたケーブルをローラ部２の下に収めることが可能である。また、既設ケーブルがある場合でも、二重床の架台に容易に設置することができる。
【００２７】
このように複数のローラ２ａ，２ａ…からなるＵ字状のローラ部２を備えるローラ装置１０は、取付対象物としての二重床の架台に設置完了するまでの時間について、本発明者の体感であるが従来用いられている三面ローラと比較して２０〜３０倍速いものである。また、ローラ装置１０は、二重床の架台からの取外しも従来装置よりも１５倍以上早い。ローラ装置１０は、ケーブルを外したら任意の収納場所にしまうだけでよく、後片付けも簡単である。
【００２８】
ローラ装置１０は、ケーブルを延線する性能が他の従来装置と同等、またはそれ以上である。例えば、ローラ装置１０は、三面ローラと同様にコーナーローラ（コーナー部の場所で延線可能なローラ装置）としても使用できる。
【００２９】
また、ローラ装置１０は、敷設後、ローラ部２からケーブルを降ろすだけで済む。この点、ローラ装置１０は、従来装置としてのケーブルコロと同等の性能、また三面ローラ以上の性能を有している。ローラ装置１０の設置の自由度はやや三面ローラに劣るものの、既設ケーブルがある場合の設置の容易さは同等またはそれ以上である。
【００３０】
ローラ装置１０は、ローラ部２から降ろしたケーブルの置き場所に困らない点に関しては三面ローラと同等である（ローラ部２の真下に置ける）。
【００３１】
このように、二重床に固定する第１実施形態に係るローラ装置１０は、二重床への設置スピードは現存する延線ローラ（ケーブルラックおよび二重床で使用するもの）に比して早く、よって、トータルで性能に優れる。
【００３２】
次に、第１実施形態に係るローラ装置１０の構造について詳述する。
【００３３】
ローラ装置１０の基本骨格となる軸１は、図２に示すように、弧状に湾曲する部分（半円部分）を底部に有する。また、軸１の湾曲部分に対して二つの頂部となる両端同士は、直線状に略平行で、一端（図２の右側）が他端（図２の左側）よりも長く延在している。
【００３４】
軸１は、Ｕ字状の湾曲する部分を一部に備え且つ頂部となる両端がボルトになっているため「Ｕボルト」とも呼ばれ、後述するローラ部２の芯となるローラ軸として機能する。かかる軸１は、曲げ加工等によって製造することができる。軸１の素材としては、ケーブル延線性能の点から、電気亜鉛めっきを施された鉄からなることが好ましい。なお、軸１の素材としては、これに限られず、同等以上の強度を備えるものであればよく、例えば、ステンレス、チタン、マグネシウム合金等の金属などが挙げられる。
【００３５】
軸１における湾曲する部分には、後述するローラ部２を構成する複数のローラ２ａ、２ａ…が設置される。また、軸１における延在する一端は、それ自体ボルトになっており、そこへ後述する取付ボルト３が設置される。軸１の延在する一端には、Ｕ字状部分との境界近傍に溶接されたナット（高ナット）が設けられている。このナットによって、軸１上の適切な位置に、ローラ部２と取付ボルト３を設置することができる（以上、図１参照）。
【００３６】
ローラ装置１０におけるローラ部２は、前述した軸１の周囲を回動自在になるように外挿された複数のローラ２ａ，２ａ，…から構成されている。
【００３７】
ローラ部２は、全体としてＵ字形状を有し、その内側をケーブルの案内面として構成する。このように、ローラ部２がＵ字形の形状であるため、敷設時にケーブルが自重でローラ部２から外れることがない。また、本ローラ装置１０では、敷設後に、Ｕ字形状のローラ部２からケーブルを持ち上げて降ろすだけで済む。作業の際には逆にケーブルを持ち上げて乗せるだけで済む。本ローラ装置１０では、既存の三面・四面ローラのようなローラの開閉作業が不要であり、またケーブルの自重があるため既存の三面・四面ローラのようにケーブル周囲を閉塞する必要がない。
【００３８】
ローラ部２のＵ字形状は、その弧状部分の半径と各両端の直線状部分の長さとの比が、１：２〜２：１の範囲内、特に、１：１．５〜１．５：１の範囲内にあることがケーブル延線性能および作業効率向上の点から好ましい。ローラ部２の弧状部分の半径と各両端の直線状部分の長さとの比が１：１となるように、例えば、軸１のＵ字状部分の内径を５９ｍｍ、高さを１２０ｍｍ、延在部分の長さを８０ｍｍとする構造にすれば、ローラ装置１０としての効果がより発揮できるためとりわけ好ましい。
【００３９】
図３（ａ）に示すように、ローラ２ａは、軸１の長手方向から視た際に、中心部に軸穴が設けられている。また、図３（ｂ）に示されるローラ２ａの側面は、ローラ部２を構成した際に、ケーブルの案内面となる。ローラ２ａとしては、軸１の径の大きさに応じて適合する大きさのものが好ましく用いられる。
【００４０】
ローラ部２における各ローラ２ａは、樹脂製のものが用いられ、特に強化樹脂（例えば、ＰＯＭ〔ジュラコン（登録商標）〕等のポリアセタール樹脂など、以下同じ）が好ましい。複数の樹脂製のローラ２ａを用いてなるローラ部２によって、ケーブルを傷つけず、円滑に延線することができる。
【００４１】
ローラ装置１０における取付ボルト３は、前述した軸１の一端の延在する部位に設けられ、取付対象物としての二重床等に取り付けて固定するためのものである。
【００４２】
取付ボルト３は、図４（ａ）および（ｂ）に示すように、軸１に設置するためのソケット形状の本体部と、二重床の架台等の取付対象物に取付ける方向に伸びたボルトが上下二本設けられている。ここで用いられる取付ボルト３における上下の各ボルトは、二重床の架台やその他の取付対象物にしっかりと固定できる点で、有効ネジ山４０ｍｍ以上のものが好ましく用いられる。
【００４３】
そして、軸１に対し、短いほうの端部から複数のローラ２ａを外挿してローラ部２を形成して最後に袋ナットで閉じ、また長い方の端部から取付ボルト３を装着して最後に蝶ナットで閉じることにより、図１に示されるローラ装置１０を形成することができる。なお、ローラ装置１０に用いられるローラ２ａの数は２５又は２４が好ましい。また、ローラ装置１０の形成に際しては、必要に応じてワッシャーを挿入し、調整することができる。
【００４４】
ローラ装置１０を使用する際には、例えば、二重床等の取付対象物に取付けるために、取付ボルト３の上下二本のボルトにそれぞれ蝶ナット、中ナット（例えば、商品名「ＤＨＮ−Ｍ１０」ネグロス製）や、商品名「ＤＨＵＳＢ」（ネグロス製）等が用いられる。
【００４５】
また、ローラ装置１０は、図５に示すように、底面視で軸１の長手方向に対する取付ボルト３の上下二本のボルトの方向の角度について、３０度間隔で角度調整が可能になっている。これにより、ローラ装置１０は、二重床の架台に対するローラ部２の角度を３０度間隔で変更することができ、延線作業性が向上する。
【００４６】
本発明の別の実施形態は、下記の構成からなるケーブル延線用ローラ装置２０である。
すなわち、図６に示すように、弧状に湾曲する部分を有し、その両端同士が直線状に略平行で、一端が他端よりも長く延在する軸２１と、
軸２１の周囲を回動自在になるように外挿された複数のローラ２２ａからなるローラ部２２と、
軸２１の一端の延在する部位に設けられる取付ボルト２３と、
取付ボルト２３と接合して取付けられ、ローラ部２２を所望する高さに調整可能で、且つ、外部部材（固定対象物）に固定可能な固定部材２４と、を備え、
ローラ部２２は、Ｕ字形状を有し、その内側をケーブルの案内面として構成する。以下、本実施形態を第２の実施形態という。
【００４７】
第２の実施形態に係るケーブル延線用ローラ装置２０は、かかる構造を備えるため、その固定対象物への設置や取り外しに要する時間が短くて済み、後片付けも簡単にできる。また、設置に自由度があり、作業効率が良好なものである。
【００４８】
第２の実施形態に係るケーブル延線用ローラ装置２０は、主にケーブルラックにおけるケーブルの延線に使用するものである。ローラ装置２０を用いることにより、敷設後、降ろしたケーブルをローラ部２２の下に収めることが可能である。また、既設ケーブルがある場合でも、ケーブルラックの親桁に容易に設置することができる。
【００４９】
本ローラ装置２０を構成する軸２１、複数のローラ２２ａからなるローラ部２２、および取付部２３は、それぞれ前述した第１の実施形態に係るローラ装置１０における軸１、複数のローラ２ａからなるローラ部２、および取付部３と同様の構成のものである。したがって、第２の実施形態に係るローラ装置２０におけるこれらの各部材について、第２の実施形態の項で特に詳述しない点に関しては前述した第１の実施形態の項で説明した事項が軸２１、ローラ２２ａ、ローラ部２２、取付部２３に対しても同様に適用される。
【００５０】
このようなＵ字状のローラ部２２を備える第２の実施形態に係るローラ装置２０の効果についても、第１の実施形態と同様の効果が得られる。具体的には、ローラ装置２０は、固定対象物としてのケーブルラックの親桁に設置完了するまでの時間は本発明者の体感で従来の三面ローラより２０〜３０倍速く、親桁からの取外しも従来装置よりも１５倍以上早く、ケーブル取り外し後の片付けも簡単である。
【００５１】
ローラ装置２０は、三面ローラと同様にコーナーローラとしても使用でき、敷設後、ローラ部２２からケーブルを降ろすだけで済む。また、ローラ装置２０は、ローラ部２２から降ろしたケーブルの置き場所に困らない（ローラ部２２の真下に置ける）。
【００５２】
このように、ケーブルラックの親桁に固定する第２実施形態に係るローラ装置２０は、ケーブルラックへの設置スピードは現存する延線ローラ（ケーブルラックおよび二重床で使用するもの）に比して早く、よって、トータルで性能に優れる。
【００５３】
第２の実施形態に係るローラ装置２０が備える取付金物２４（固定部材）は、取付ボルト２３と接合して取付けられ、ローラ部２２を所望する高さに調整可能で、且つ、固定対象物としてのケーブルラックの親桁に固定可能なものである。
【００５４】
取付ボルト２３を取付金物２４に接合するには、前述の第１実施形態に係るローラ装置１０を二重床等の取付対象物に取付けるのと同様の要領で実施可能である。すなわち、取付ボルト２３の上下二本のボルトにそれぞれ蝶ナット、中ナット（例えば、商品名「ＤＨＮ−Ｍ１０」ネグロス製）や、商品名「ＤＨＵＳＢ」（ネグロス製）等を用いて、取付金物２４に接合できる。
【００５５】
また、取付金物２４は、ローラ部２２を所望する高さに調整可能なように、二つの蝶ナットねじを緩めることで取付ボルト２３を上下にスライド可能になされている。これにより、本ローラ装置２０は、敷設ルートの状況に応じて、ローラ部２２の高さを自在に調節することができる。
【００５６】
ローラ装置２０における取付ボルト２３は、軸２１の一端の延在する部位に設けられ、取付金物２４に接合される。そして、ローラ装置２０は、取付ボルト２３により接合された取付金物２４を介して固定対象物としてのケーブルラック等に固定して使用される。この点、取付ボルト２３は、ローラ装置１０における取付ボルト３のような直接外部部材としての二重床に取付けるものとは異なる。
【００５７】
図６に示すように、取付金物２４は、ローラ部２２の下方において、ケーブルラックの親桁Ｐを挟み込んで固定するための親桁挟み込み部２５を備えている。かかる親桁挟み込み部２５により、工具や紐等が不要でケーブルラックの親桁Ｐにローラ装置２０を簡単に取付けることができる。
【００５８】
親桁挟み込み部２５においては、取付金物２４をケーブルラックの親桁Ｐに固定するための親桁保護部材２６および上下の挟み込み金物２７ａ，２７ｂが用いられる。そして、ローラ装置２０をケーブルラックの親桁Ｐに固定する際には、取付金物２４と挟み込み金物２７ａ，２７ｂとが、親桁保護部材２６を介して親桁Ｐを挟み込む。親桁保護部材２６の素材としては樹脂が用いられ、ケーブルラックの親桁を傷つけないようにすることができる。また、親桁Ｐへの固定の際には、上記各部材のほか、さらにノブボルト二つが使用されて強固にしっかりと固定される。
【００５９】
また、ローラ装置２０においても、取付ボルト２３の上下二本のボルトの方向の角度（底面視で軸２１の長手方向に対する角度）について、３０度間隔で角度調整が可能になっている。これにより、ローラ装置２０は、取付金物２４を介してケーブルラックの親桁に対するローラ部２２の角度を３０度間隔で変更することができ、延線作業性が向上する。
【００６０】
本ローラ装置２０が備える取付金物２４における親桁挟み込み部２５は、種々のケーブルラックに取り付け可能に構成されている。本ローラ装置２０を取り付け可能なケーブルラックの具体例としては、親桁の高さが３８ｍｍまたは７０ｍｍまたは１００ｍｍで、厚さが６〜２０ｍｍの寸法のものが挙げられる。
【００６１】
本ローラ装置２０の取り付けを想定している主なケーブルラックは、図７（ａ）〜（ｄ）に示す４種類である。すなわち、図７（ａ）に示すＮＴＴラック（ｔ６）の親桁Ｐ１、図７（ｂ）に示すＮＴＴラック（ｔ９）の親桁Ｐ２、図７（ｃ）に示すネグロスＳＲラックの親桁Ｐ３、および図７（ｄ）に示すネグロスＱＲラックの親桁Ｐ４に対して、本ローラ装置２０における親桁挟み込み部２５の取り付けが可能である。
【００６２】
親桁挟み込み部２５の構造の一例を示すと、図８に示すように、電気亜鉛めっきを施された鉄製の取付金物２４（図８（ａ））、強化樹脂製の親桁保護部材２６（図８（ｂ））、電気亜鉛めっきを施された鉄製の挟み込み金物２７ａ，２７ｂ（図８（ｃ））、および保護板２８ａ，２８ｂ，２８ｃ，２８ｄ（図８（ｄ））からなる。
【００６３】
図８（ａ）は、取付金物２４の正面、底面および側面から視たそれぞれの図を示す。取付金物２４は、図８（ａ）に示すように、親桁挟み込み部最下部のダクター内に高ナット２９を溶接されたものが用いられる。
【００６４】
図８（ｂ）は、強化樹脂製の親桁保護部材２６の正面および側面から視たそれぞれの図を示す。図８（ｂ）に示される親桁保護部材２６は、ボルト座繰り加工が施されたものが用いられる。
【００６５】
図８（ｃ）は、上側の挟み込み金物２７ａの平面および正面（親桁の長手方向）から視たそれぞれの図と、下側の挟み込み金物２７ｂの正面（親桁の長手方向）および底面から視たそれぞれの図を示す。図８（ｃ）に示すように、上側の挟み込み金物２７ａには、親桁と接触する面に保護板２８ａおよび２８ｂが接着貼付けされている。また、上側の挟み込み金物２７ａは、親桁の上方側となる位置に高ナット２９を溶接されたものが用いられる。下側の挟み込み金物２７ｂには、親桁と接触する面に保護板２８ｃおよび２８ｄが接着貼付けされている。
【００６６】
保護板２８ａ〜２８ｄは、図８（ｃ）および（ｄ）に示すように、接着貼付けされる挟み込み金物２７ａ，２７ｂの大きさおよび形状に対応したものが用いられる。なお、保護板２８ａ〜２８ｄの素材としては、特に制限されないが、強化樹脂等の樹脂製のものや、ゴム等の親桁と接触した際に傷をつけない素材のものが好ましく挙げられる。
本ローラ装置２０は、このように取付金物２４の親桁挟み込み部２５に用いられる保護板２８ａ〜２８ｄや前記の強化樹脂製の親桁保護部材２６によってケーブルラックの親桁Ｐを傷つけることなく強固に固定することができる。
【００６７】
また、取付金物２４は、その上方に、必要に応じて多目的ロープ（図示せず）を設けることもできる。
【００６８】
第２実施形態に係るローラ装置２０を適用・設置できるケーブルラックに制限はないが、特に、ネグロス電工社製の「ＱＲラックシリーズ」およびＮＴＴ規格のラックに取付けることができる。また、ローラ装置２０から取付金物２４を外せば、機械室等の二重床架台の穴にローラ本体（ローラ部２２）を取り付け可能である。
【００６９】
本発明に係るケーブル延線用ローラ装置は、その使用態様には制限されないが、特に前述したようなケーブルラック上および二重床内でのケーブル敷設工事において使用されると、より効果を発揮できるものである。本発明に係るケーブル延線用ローラ装置は、そのようなケーブルラックの親桁又は二重床の足（架台）に簡単に且つ強固に設置することができる。
【００７０】
その他にも、本発明に係るケーブル延線用ローラ装置は、種々の性能を備えている。本発明に係るケーブル延線用ローラ装置は、高所での設置・外し・高さ調整・角度変更時に緩めたボルトが落下しない安全な構造を備えている。
また、本発明に係るケーブル延線用ローラ装置は、ケーブルラック端まで既設線が敷設されていても、比較的容易に設置可能である。
また、本発明に係るケーブル延線用ローラ装置は、３２５ｍｍ２の３芯など比較的太径で重量のあるケーブルに対しても延線可能である（本発明者により実証済み）。
【００７１】
また、本発明に係るケーブル延線用ローラ装置は、そのローラ部を上下逆に設置すれば、上方向への延線対応（ケーブルの浮上がり防止）用の装置としても使用可能である。
また、本発明に係るケーブル延線用ローラ装置は、上部に障害なくローラ部が入れば、２段ラックの下段でも使用可能である。
【００７２】
また、本発明に係るケーブル延線用ローラ装置は、ローラ部に対する荷重を考慮した上で使用すれば、ケーブルラック等のコーナーでも使用可能である。
さらに、本発明に係るケーブル延線用ローラ装置は、軽量で薄型であり、煩わしい紐や取り外し保管する部材などもなく、収納性に長ける。
【００７３】
本発明に係るケーブル延線用ローラ装置は、特に直線延線における効果に優れ、上方向以外の延線ではケーブルがローラ部から外れることがない。また、本発明に係るケーブル延線用ローラ装置は、ケーブルコロなどと比べてケーブルを包む高さがあり、ケーブルの自重もあるため外れることがない。
【００７４】
以上、本発明に係るケーブル延線用ローラ装置について、そのケーブルラック等への取り付け方法や、構造、寸法・素材等を好ましい実施形態に基いて詳細に説明したが、本発明はこれらの実施形態に何等限定されず、適宜に変更形態とすることも可能である。
【００７５】
例えば、ローラ装置の親桁への挟み込みに関して、挟む方向や挟み方・構造の寸法・使用する部材等を所望する形態に変更することができる。
【産業上の利用可能性】
【００７６】
本発明は、設置や取り外しに要する時間が短く、後片付けを簡単にでき、設置に自由度があり作業効率の良好なケーブル延線用ローラ装置、特にケーブルラックや二重床において、敷設後、降ろしたケーブルをローラの下に収めることが可能で、既設ケーブルがあるケーブルラックの親桁又は二重床の架台に容易に設置することのできるケーブル延線用ローラ装置として、産業上の利用可能性を有する。
【符号の説明】
【００７７】
１０：ケーブル延線用ローラ装置（第１の実施形態）
１：軸
２：ローラ部
２ａ：ローラ
３：取付ボルト（取付部）
２０：ケーブル延線用ローラ装置（第２の実施形態）
２１：軸
２２：ローラ部
２２ａ：ローラ
２３：取付ボルト（取付部）
２４：取付金物（固定部材）
２５：親桁挟み込み部
２６：親桁保護部材
２７ａ，２７ｂ：挟み込み金物
２８，２８ｂ，２８ｃ，２８ｄ：保護板
２９：高ナット
Ｐ，Ｐ１，Ｐ２，Ｐ３，Ｐ４：ケーブルラック親桁
【図１】
2019103152.tif 000003
【図２】
2019103152.tif 000004
【図３】
2019103152.tif 000005
【図４】
2019103152.tif 000006
【図５】
2019103152.tif 000007
【図６】
2019103152.tif 000008
【図７】
2019103152.tif 000009
【図８】
2019103152.tif 000010
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられ、外部部材に取り付けて固定するための取付部と、を備えるケーブル延線用ローラ装置であって、
前記ローラ部は、Ｕ字形状を有し、その内側をケーブルの案内面として構成し、
前記ローラ部におけるＵ字形状の弧状に湾曲する部分を底部としてその上部を閉塞しないように且つ該Ｕ字形状の底部の下方にケーブルを収められるように用いられ、延線作業の際に前記Ｕ字形状の上部から内側にケーブルを持ち上げて乗せ、敷設後に前記Ｕ字形状の内側から上部を介してケーブルを持ち上げて降ろすことができるように設置されることを特徴とするケーブル延線用ローラ装置。
【請求項２】
前記ローラ部のＵ字形状は、弧状部分の半径と各両端の直線状部分の長さとの比が、１：２〜２：１の範囲内にある、請求項１記載のケーブル延線用ローラ装置。
【請求項３】
前記軸が電気亜鉛めっきを施された鉄からなり、前記ローラが樹脂製である、請求項１又は２記載のケーブル延線用ローラ装置。
【請求項４】
弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられる取付部と、
前記取付部と接合して取付けられ、前記ローラ部を所望する高さに調整可能で、且つ、外部部材に固定可能な固定部材と、を備えるケーブル延線用ローラ装置であって、
前記ローラ部は、Ｕ字形状を有し、その内側をケーブルの案内面として構成し、
前記ローラ部におけるＵ字形状の弧状に湾曲する部分を底部としてその上部を閉塞しないように且つ該Ｕ字形状の底部の下方にケーブルを収められるように用いられ、延線作業の際に前記Ｕ字形状の上部から内側にケーブルを持ち上げて乗せ、敷設後に前記Ｕ字形状の内側から上部を介してケーブルを持ち上げて降ろすことができるように設置されることを特徴とするケーブル延線用ローラ装置。
【請求項５】
前記固定部材は、前記ローラ部の下方において、前記外部部材を挟み込んで固定するための挟み込み部を備える、請求項４記載のケーブル延線用ローラ装置。
【手続補正２】
【補正対象書類名】明細書
【補正対象項目名】００１５
【補正方法】変更
【補正の内容】
【００１５】
本発明は、前記知見に基づきなされたもので、下記の発明を提供するものである。
１．弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられ、外部部材に取り付けて固定するための取付部と、を備えるケーブル延線用ローラ装置であって、
前記ローラ部は、Ｕ字形状を有し、その内側をケーブルの案内面として構成し、
前記ローラ部におけるＵ字形状の弧状に湾曲する部分を底部としてその上部を閉塞しないように且つ該Ｕ字形状の底部の下方にケーブルを収められるように用いられ、延線作業の際に前記Ｕ字形状の上部から内側にケーブルを持ち上げて乗せ、敷設後に前記Ｕ字形状の内側から上部を介してケーブルを持ち上げて降ろすことができるように設置されることを特徴とするケーブル延線用ローラ装置。
【手続補正３】
【補正対象書類名】明細書
【補正対象項目名】００１８
【補正方法】変更
【補正の内容】
【００１８】
４．弧状に湾曲する部分を有し、その両端同士が直線状に略平行で、一端が他端よりも長く延在する軸と、
前記軸の周囲を回動自在になるように外挿された複数のローラからなるローラ部と、
前記軸の一端の延在する部位に設けられる取付部と、
前記取付部と接合して取付けられ、前記ローラ部を所望する高さに調整可能で、且つ、外部部材に固定可能な固定部材と、を備えるケーブル延線用ローラ装置であって、
前記ローラ部は、Ｕ字形状を有し、その内側をケーブルの案内面として構成し、
前記ローラ部におけるＵ字形状の弧状に湾曲する部分を底部としてその上部を閉塞しないように且つ該Ｕ字形状の底部の下方にケーブルを収められるように用いられ、延線作業の際に前記Ｕ字形状の上部から内側にケーブルを持ち上げて乗せ、敷設後に前記Ｕ字形状の内側から上部を介してケーブルを持ち上げて降ろすことができるように設置されることを特徴とするケーブル延線用ローラ装置。